(57)【要約】【課題】  ＩＰ電話機において、安価な１チップマイクロコンピュータを使用して通信処理回路を実現する。【解決手段】  送受信されるデジタル音声データのエンコードおよびデコードするコーデック３１と、このコーデック３１とＩＰネットワーク２０とを接続する通信処理回路１４と、カウンタ５２とを設ける。通信処理回路１４はマイクロコンピュータ４２により構成する。このマイクロコンピュータ４２とコーデック３１との同期をとるクロックをカウンタ５２により形成する。【選択図】  図１
2008252621.tif 000002
【特許請求の範囲】
【請求項１】
ＩＰネットワークを通じて接続されるＩＰ電話機において、
送受信されるデジタル音声データをエンコードおよびデコードする音声コーデックと、
この音声コーデックと上記ＩＰネットワークとを接続する通信処理回路と、
カウンタと
を有し、
上記通信処理回路はマイクロコンピュータにより構成され、
このマイクロコンピュータと上記音声コーデックとの同期をとるクロックを上記カウンタにより形成する
ようにしたＩＰ電話機。
【請求項２】
請求項１に記載のＩＰ電話機において、
上記ＩＰネットワークを通じてＮＴＰサーバから時刻の情報を得る
ようにしたＩＰ電話機。
【請求項３】
請求項２に記載のＩＰ電話機において、
上記カウンタにより着信を告げる着信報知手段の同期用のクロックを形成する
ようにしたＩＰ電話機。
【発明の詳細な説明】
【技術分野】
【０００１】
この発明はＩＰ電話機に関する。
【背景技術】
【０００２】
ＩＰ（Internet Protocol）技術を利用したＩＰ電話システムにおいては、図３にも示すように、それぞれのＩＰ電話機１０（１０Ａ〜１０Ｎ）がＩＰネットワーク２０に接続され、各ＩＰ電話機１０の間の通話がＩＰネットワーク２０を通じて実現されるものである。
【０００３】
そして、ＩＰ電話機１０は、受話器１１、送話器１２、音声処理回路１３、通信処理回路１４およびシステム制御回路１５を有する。この場合、音声処理回路１３は、図示はしないが、Ｄ／Ａ（Digital to Analog）コンバータやＡ／Ｄ（Analog to Digital）コンバータなどを有し、相手のＩＰ電話機から送られてきたデジタル音声データをアナログ音声信号に変換して受話器１１に供給するとともに、送話器１２から出力されるアナログ音声信号をデジタル音声データに変換して出力する。なお、このデジタル音声データは、送信時には、エンコード（データ圧縮）され、受信時にはデコード（データ伸長）される。
【０００４】
また、通信処理回路１４は、ＩＰネットワーク２０を通じて相手のＩＰ電話機から送信されてきたパケットを受信するとともに、この受信したパケットから音声データや制御情報を取り出し、この取り出した音声データは音声処理回路１３に出力し、制御情報は制御回路１５に出力する。さらに、通信処理回路１４は、音声処理回路１３から出力される音声データや制御回路１５から出力される制御情報をパケット化し、そのパケットをＩＰネットワーク２０を通じて相手のＩＰ電話機へと送信する。
【０００５】
そして、制御回路１５はマイクロコンピュータを有して構成され、ダイヤルボタンなどの各種の操作ボタン（操作キー）１６が接続される。また、制御回路１５には、着信を告げるリンガ音を出力するとともに、操作ボタン１６の操作ミスなどを告げるエラー音を出力するスピーカ１７も接続される。
【０００６】
さらに、制御回路１５と通信処理回路１４との間で、相手との接続や通話などに必要な制御情報がやりとりされる。また、ＩＰネットワーク２０は、例えば企業内に構築されたネットワークであり、あるいはインターネットなどの他のネットワークを含んだネットワークである。そして、このＩＰネットワーク２０に、上述のように、複数のＩＰ電話機１０Ａ〜１０Ｎが接続されている。
【０００７】
なお、先行技術文献として例えば以下のものがある。
【特許文献１】特開２００６−２７０４８６号公報
【特許文献２】特開２００６−２７９７６０号公報
【発明の開示】
【発明が解決しようとする課題】
【０００８】
ところで、通信処理回路１４を安価な１チップ化されたマイクロコンピュータにより構成しようとすると、シリアル通信機能しか持っていないことが多く、このため、音声処理回路１３との同期接続ができない。また、ＩＰ電話機１０においては、着信を告げるリンガ音やＬＥＤ（Light Emitting Diode）の点滅がずれる「着信音ずれ」や「ＬＥＤ点滅周期ずれ」など、ＩＰ電話機特有の問題を生じる。
【０００９】
この発明は、これらの問題点を解決しようとするものである。
【課題を解決するための手段】
【００１０】
この発明においては、
ＩＰネットワークを通じて接続されるＩＰ電話機において、
送受信されるデジタル音声データをエンコードおよびデコードする音声コーデックと、
この音声コーデックと上記ＩＰネットワークとを接続する通信処理回路と、
カウンタと
を有し、
上記通信処理回路はマイクロコンピュータにより構成され、
このマイクロコンピュータと上記音声コーデックとの同期をとるクロックを上記カウンタにより形成する
ようにしたＩＰ電話機
とするものである。
【発明の効果】
【００１１】
この発明によれば、通信処理回路を、シリアル通信機能しか持たない安価な１チップマイクロコンピュータにより構成することができる。また、着信を告げるリンガ音やＬＥＤに「着信音ずれ」や「ＬＥＤ点滅周期ずれ」などを生じることもない。
【発明を実施するための最良の形態】
【００１２】
ＩＰ電話機１０の全体は例えば図３において、符号１０Ａにより説明したように構成される。そして、その音声処理回路１３および通信処理回路１４が、以下のように構成される。
【００１３】
すなわち、例えば図１に示すように、音声処理回路１３が、オーディオコーデック３１、Ｄ／Ａコンバータ３２、Ａ／Ｄコンバータ３３により構成される。
【００１４】
また、通信処理回路１４が、ＬＡＮＣ（Local Area Network Controller）４１および１チップＩＣ（Integrated Circuit）化されたマイクロコンピュータ４２と、クロックジェネレータ５１およびカウンタ５２とから構成される。この場合、ＬＡＮコントローラ４１は、ＩＰネットワーク２０と、マイクロコンピュータ４２との間のインターフェイス処理を行うものである。また、マイクロコンピュータ４２は、ＬＡＮＣ４１を通じてＩＰネットワーク２０に送受信されるデジタルデータを処理するものである。
【００１５】
すなわち、マイクロコンピュータ４２は、ＬＡＮＣ４１からデジタルデータが供給されると、このデジタルデータからデジタル音声データを取り出し、これを端子SH-TXにシリアルに出力し、一方、シリアルのデジタル音声データが端子SH-RXに供給されると、これを送信用のデジタルデータに変換してＬＡＮＣ４１に送り出すものである。なお、端子SH-TX、SH-RXにアクセスされるデジタル音声データは、エンコードされているものである。
【００１６】
そして、受話時には、マイクロコンピュータ４２の端子SH-TXに出力されたデジタル音声データが、コーデック３１の端子PCM-RXにシリアルに供給されてもとのデジタル音声データにデコードされ、このデジタル音声データがＤ／Ａコンバータ３２に供給されてアナログ音声信号（受話信号）にＤ／Ａ変換され、この音声信号が受話器１１に供給される。
【００１７】
また、送話時には、送話器１２からの音声信号がＡ／Ｄコンバータ３３に供給されてデジタル音声データにＡ／Ｄ変換され、このデジタル音声データがコーデック３１に供給されてエンコードされてから端子PCM-TXにシリアルに出力される。この端子PCM-TXに出力されたデジタル音声データはマイクロコンピュータ４２の端子SH-RXにシリアルに供給される。したがって、ＩＰネットワーク２０を通じて他のＩＰ電話機との通話ができることになる。
【００１８】
さらに、マイクロコンピュータ４２とコーデック３１との間で同期を取るため、クロックジェネレータ５１およびカウンタ５２が設けられる。すなわち、クロックジェネレータ５１から所定の周波数のクロックが出力され、このクロックがカウンタ５２に供給されて各種の周波数のパルスに分周され、これらパルスが反転出力端子!Q1、!Q3および非反転出力端子Q2に出力される（符号!は反転を示す）。なお、マイクロコンピュータ４２は独立のクロックにより動作しているものとする。
【００１９】
この場合、端子!Q1、Q2、!Q3の出力パルスは、図２に示すようなものとされる。すなわち、時点ｔ0に、マイクロコンピュータ４２のポートPAからカウンタ５２のリセット端子Rにリセットパルスが供給されるとともに、マイクロコンピュータ４２のポートPBからカウンタ５２のカウントイネーブル端子ENにカウントイネーブル信号が供給される。
【００２０】
すると、図２Ａに示すように、カウンタ５２の端子!Q1からは、時点ｔ0から、所定の周期で反転するパルスが出力され、このパルスがコーデック３１の端子BCLKにビットクロックとして供給される。また、図２Ｂに示すように、カウンタ５２の端子Q2からは、端子!Q1の出力パルスの８サイクルごとに反転するパルスが出力され、このパルスがコーデック３１の端子FSYNCにフレームシンク信号として供給される。さらに、図２Ｃに示すように、カウンタ５２の端子!Q3からは、端子Q2の出力パルス（図２Ｂ）が立ち上がっている期間ＴAごとに、８サイクルのパルスが出力され、このパルスがマイクロコンピュータ４２の端子CCLKに、期間ＴAを示す信号として供給される。
【００２１】
こうして、図２Ｄ、Ｅに示すように、マイクロコンピュータ４２とコーデック３１との間で、期間ＴAごとに８ビットずつデジタル音声データがやりとりされる。したがって、上述のように相手との通話ができることになる。
【００２２】
また、マイクロコンピュータ４２が、ＬＡＮＣ４１およびＩＰネットワーク２０を通じてＮＴＰ（Network Time Protocol）サーバ３０に接続されると、このＮＴＰサーバ３０から時刻情報を受信し、この受信した時刻情報にしたがってマイクロコンピュータ４２に内蔵されている時計回路（図示せず）の時刻が設定される。したがって、ＩＰ電話機１０Ａ〜１０Ｎにおける時刻は、ＮＴＰサーバ３０の提供する時刻に統一される。
【００２３】
さらに、カウンタ５２からクロックジェネレータ５１の出力クロックを所定の分周比で分周したパルスが取り出され、このパルスが、ＬＣＤ（Liquid Crystal Display）６２およびＬＥＤ６４のドライブ回路６１、６３にそれらのクロックとして供給される。また、リンガ（スピーカ）１７についても同様とされる。
【００２４】
したがって、ＩＰ電話機１０Ａ〜１０Ｎにおいては、時刻が統一されているとともに、ＬＣＤ６２およびＬＥＤ６４やリンガは、クロックジェネレータ５１の形成するクロックに基づいて応答することになる。
【００２５】
こうして、上述のＩＰ電話機１０によれば、マイクロコンピュータ４２と音声コーデック３１との間を、カウンタ５２の出力により同期をとるようにしているので、通信処理回路１４を、シリアル通信機能しか持たない安価な１チップマイクロコンピュータ４２により構成することができる。また、リンガ音やＬＥＤの点滅がずれる「着信音ずれ」や「ＬＥＤ点滅周期ずれ」などを生じることもない。
【図面の簡単な説明】
【００２６】
【図１】この発明の一形態を示す系統図である。
【図２】この発明を説明するための波形図である。
【図３】ＩＰ電話機およびＩＰ電話システムを説明するための系統図である。
【符号の説明】
【００２７】
１０（１０Ａ〜１０Ｎ）…ＩＰ電話機、１１…受話器、１２…送話器、１３…音声処理回路、１４…通信処理回路、１５…システム制御回路、１６…操作ボタン、１７…スピーカ、２０…ＩＰネットワーク、３０…ＮＴＰサーバ、３１…音声コーデック、３２…Ｄ／Ａコンバータ、３３…Ａ／Ｄコンバータ、４１…ＬＡＮＣ、４２…マイクロコンピュータ、５１…クロックジェネレータ、５２…カウンタ、６２…ＬＣＤ、６４…ＬＥＤ
【図１】
2008252621.tif 000003
【図２】
2008252621.tif 000004
【図３】
2008252621.tif 000005